(57)【要約】      （修正有）【課題】通常の直線定規としての機能を持ち合わせているとともに、等間隔で美しい五線を容易に描画することができる音楽用五線引き定規を提供する。【解決手段】直線状の一辺１１００から第一間隔Ｔ１だけ隔てて一辺と平行に設けられたスリット１５００と、スリットの両端部に設けられスリットの幅の中点を示すマーカ１４００と、を備え、一辺に沿って引かれた第五線と、スリットの一辺に近接する一方側に沿って引かれた第三線と、スリットの一方側と対向する他方側に沿って引かれた第一線と、マーカに第三線を合致させた状態において、スリットの一方側に沿って引かれた第二線と、スリットの他方側に沿って引かれた第四線の計五線が互いに順次等間隔となるように、第一間隔とスリットの幅Ｔ２とが構成されている。【選択図】図１
0003191360.tif 000002
【実用新案登録請求の範囲】
【請求項１】
直線状の一辺から第一間隔だけ隔てて前記一辺と平行に設けられたスリットと、
前記スリットの両端部に設けられ前記スリットの幅の中点を示すマーカと、を備え、
前記一辺に沿って引かれた第五線と、前記スリットの前記一辺に近接する一方側に沿って引かれた第三線と、前記スリットの前記一方側と対向する他方側に沿って引かれた第一線と、前記マーカに前記第三線を合致させた状態において、前記スリットの前記一方側に沿って引かれた第四線と、前記スリットの前記他方側に沿って引かれた第二線とにおいて、前記第一線乃至第五線が互いに順次等間隔となるように、前記第一間隔と前記スリットの幅とが構成された
ことを特徴とする音楽用五線引き定規。
【請求項２】
請求項１に記載の音楽用五線引き定規において、
前記マーカは、前記スリットの両端部に設けられた切れ込み部である
ことを特徴とする音楽用五線引き定規。
【請求項３】
請求項１に記載の音楽用五線引き定規において、
前記マーカは、前記スリットの両端部に設けられた突出部である
ことを特徴とする音楽用五線引き定規。
【請求項４】
請求項１乃至請求項３のいずれか一項に記載の音楽用五線引き定規において、
前記スリットの幅は、前記第一間隔よりも、筆記具と前記音楽用五線引き定規とで形成される描画マージンの４倍だけ大きい
ことを特徴とする音楽用五線引き定規。
【請求項５】
請求項１乃至請求項４のいずれか一項に記載の音楽用五線引き定規において、
全体の外形形状は長方形である
ことを特徴とする音楽用五線引き定規。
【請求項６】
請求項１乃至請求項５のいずれか一項に記載の音楽用五線引き定規において、
前記第一間隔は２．７ｍｍであり、前記スリットの幅は４．３ｍｍである
ことを特徴とする音楽用五線引き定規。
【考案の詳細な説明】
【技術分野】
【０００１】
本考案は、等間隔で美しい五線を容易に描画することができる音楽用五線引き定規に関する。
【背景技術】
【０００２】
あらかじめ五線の引かれた五線紙やボードがなくとも、一度の動作で見やすい音符を乗せることのできる等間隔の五線、を誰もが手際よく容易に描けるようにすることを目的とする考案であって、等間隔、並列に固定させられた５つの描点１を持つ、五線引き筆記具とし、また、５つの描点１を、５本の独立した筆に代用し、それらを着脱自在とし、等間隔、並列に固定して取り付けることのできるフレームとしての、五線引き筆記具とする考案が下記特許文献１に開示されている。
【０００３】
また、この考案に係る五線引き筆記具を使用することにより、一度の動作で等間隔の五線を誰もが迅速かつ容易に描くことができ、描点が等間隔であることが約束されるので、その五線上に、結果として視覚的把握が容易な音符（楽譜）を書くことができるようにもなることが開示されている。
【先行技術文献】
【特許文献】
【０００４】
【特許文献１】実用新案登録第３０８７０２８号公報
【考案の概要】
【考案が解決しようとする課題】
【０００５】
持ち合わせた鉛筆やボールペン等を用いて、簡単かつ簡易に等間隔の五線を引くことができる定規は、従来知られていない。また、上述の特許文献１にかかる筆記具等においては、常備して常に持ち合わせているとは限らず、また筆記用具入れに収納する場合でも比較的嵩張ったり重くなったり利便性に欠ける面があった。
【０００６】
本考案は、上述のような問題点に鑑み為されたものであって、通常の直線定規としての機能を持ち合わせているとともに、等間隔で美しい五線を容易に描画することができる音楽用五線引き定規を提案することを目的とする。
【課題を解決するための手段】
【０００７】
本考案の音楽用五線引き定規は、直線状の一辺から第一間隔だけ隔てて一辺と平行に設けられたスリットと、スリットの両端部に設けられスリットの幅の中点を示すマーカと、を備え、一辺に沿って引かれた第五線と、スリットの一辺に近接する一方側に沿って引かれた第三線と、スリットの一方側と対向する他方側に沿って引かれた第一線と、マーカに第三線を合致させた状態において、スリットの一方側に沿って引かれた第四線と、スリットの他方側に沿って引かれた第二線とにおいて、第一線乃至第五線が互いに順次等間隔となるように、第一間隔とスリットの幅とが構成されたことを特徴とする。
【考案の効果】
【０００８】
通常の直線定規としての機能を持ち合わせているとともに、等間隔で美しい五線を容易に描画することができる音楽用五線引き定規を実現できる。
【図面の簡単な説明】
【０００９】
【図１】（ａ）は本考案にかかる音楽用五線引き定規の全体構成を概念的に説明する図であり、（ｂ）は線引きする場合の描画マージンについて概略説明する模式図であり、（ｃ）は描画マージンが考慮された第一間隔（Ｔ１）とスリット幅（Ｔ２）との関係の典型例を説明する図である。
【図２】（ａ）五線譜の典型例を説明する図であり、（ｂ）〜（ｄ）は音楽用五線引き定規の開発経緯を簡単に説明する概略図である。
【図３】音楽用五線引き定規の全体平面図を説明する図である。
【図４】音楽用五線引き定規を用いた五線描画の手順を説明する図である。
【考案を実施するための形態】
【００１０】
図１（ａ）は、本考案にかかる音楽用五線引き定規１０００の全体構成を概念的に説明する図である。図１（ａ）に示すように、音楽用五線引き定規１０００は全体として長方形の形状として形成されており、直線状の長辺である一辺１１００から第一間隔（Ｔ１）だけ離間した位置に、一辺１１００と平行にスリット幅（Ｔ２）のスリット１５００が設けられている。
【００１１】
スリット１５００の両端には、スリット幅（Ｔ２）を二分する位置に切れ込み１４００が設けられており、これがマーカとなる。また、スリット１５００の一辺１１００に近接する一方側は辺１２００であり、辺１２００と対向する他方側は辺１３００である。一辺１１００と辺１２００と辺１３００とは互いに平行であるものとし、互いに長さが等しいことがさらに好ましい。
【００１２】
一辺１１００は、音楽用五線譜の第五線（最上位線）を描画するために利用され、辺１２００は第三線を描画するために利用され、辺１３００は第一線を描画するために利用される。そして、描画された第三線に切れ込み１４００を位置合わせした後、辺１２００に沿って第四線を引き、辺１３００に沿って第二線を引くことで、五線が容易にかつ迅速に描画できるものとなる。図４は、音楽用五線引き定規１０００を用いた五線描画の手順を説明する図である。
【００１３】
図１（ｂ）は、線引きする場合の描画マージン（Ｔ３）について概略説明する模式図である。図１（ｂ）においては、シャープペンシルを用いた場合の描画マージン（Ｔ３）を最も一般的な典型例として０．４ｍｍとして説明している。すなわち、図１（ｂ）から理解できるように、現実に線引きされる場合には、このように定規の辺から、ある一定の距離だけ離間した位置に描画される。
【００１４】
一方、音楽用五線譜の五線を引く場合には、このような描画マージン（Ｔ３）も考慮した上で、現実に、等間隔で五本の直線を平行に描画できることが好ましい。このため、本考案の音楽用五線引き定規１０００においては、図１（ｃ）に例示して説明するような関係を有するように第一間隔（Ｔ１）とスリット幅（Ｔ２）とを形成するものとする。
【００１５】
図１（ｃ）は、描画マージンが考慮された第一間隔（Ｔ１）とスリット幅（Ｔ２）との関係の典型例を説明する図である。図１（ｃ）から明らかなように、第五線１１１０は第一辺１１００から描画マージン（Ｔ３）だけ離間した位置に描画され、第三線１２１０は辺１２００から描画マージン（Ｔ３）だけ離間した位置に描画され、第一線１３１０は辺１３００から描画マージン（Ｔ３）だけ離間した位置に描画される。
【００１６】
そして、描画された第五線１１１０と第三線１２１０と第一線１３１０とが、等間隔となるためには、第一間隔（Ｔ１）を例えば２．７ｍｍとし、スリット幅（Ｔ２）を例えば７ｍｍ−２．７ｍｍ＝４．３ｍｍとすることができる。
【００１７】
図１（ｃ）に基づけば、第五線１１１０と第三線１２１０との間隔は２．７ｍｍ＋（０．４ｍｍ×２）＝３．５ｍｍとなり、第三線１２１０と第一線１３１０との間隔は４．３ｍｍ−（０．４ｍｍ×２）＝３．５ｍｍとなる。
【００１８】
さらに、図１（ｃ）には示していないが、切れ込み１４００に第三線１２１０を合わせて、辺１２００，１３００を用いて第四線、第二線を描画すると、第四線と第二線との間隔は、第三線１２１０と第一線１３１０との関係と同様に、４．３ｍｍ−（０．４ｍｍ×２）＝３．５ｍｍとなる。
【００１９】
これにより、第二線と、第一線及び第三線と、の間隔はそれぞれ１．７５ｍｍとなり、第四線と、第三線及び第五線と、の間隔はそれぞれ１．７５ｍｍとなり、第一線乃至第五線がすべて１．７５ｍｍずつの等間隔で、かつ並行に容易に描画できるものとなる。なお、上述した具体的な数値は、一般的に五線譜が幅６〜７ｍｍ程度で構成されることが多いこと及び一般的に描画マージンが０．４ｍｍとなる筆記具が多いことに整合させて、典型例を示したものに過ぎないのであって、描画マージンの数値を含めて具体的な例示に限定されるものではない。
【００２０】
図２（ａ）は五線譜の典型例を説明する図であり、図２（ｂ）〜図２（ｄ）は音楽用五線引き定規１０００の開発経緯を簡単に説明する概略図である。図２（ａ）に示すように、五線譜は一般的には６〜７ｍｍ幅に形成されることが多く、音符を五線譜に描画する場合においても、６〜７ｍｍ幅の五線譜に慣れ親しんでいる音楽関係者が多いものとされる。しかし、本考案の音楽用五線引き定規１０００は、７ｍｍ幅（すなわち、１．７５ｍｍ×４）の五線譜に限定されるものではないことは明らかである。
【００２１】
図２（ａ）に示すように、本考案においては上から順に第五線、第四線、第三線、第二線、第一線として説明している。また、図２（ｂ）は、四本のスリットを設けて、例えば１．７５ｍｍ間隔で五つの線を平行に引くために用いられる定規の例を示す図である。
【００２２】
図２（ｂ）のように定規を構成すると、スリット間の仕切りを０．５ｍｍ以下とする必要があり極めて細くなることから、線を引く場合に定規が歪んでしまって、現実には撓んだ線が描画されることとなってしまい、並行な五線を描画するのには適さない。
【００２３】
また、図２（ｃ）に示す定規の例においては、二つのスリットを備えて第五線、第三線、第一線を描画し、その後定規をずらして第四線と第二線とを描画可能であるものの、定規をずらす場合に位置確認のため定規本体が透明である必要がある。しかし、アクリル樹脂等透明材料ではスリット間の仕切りの強度が確保できないことから、結局撓んだ線しか引けず、並行かつ等間隔の五線を得ることはできない。
【００２４】
また、仮に厚さの極めて厚いアクリル樹脂等にて図２（ｃ）の定規を形成すれば、強度は得られるものの、ペン先が紙面に届かない等の新たな問題点が生じることとなるので、好ましいものではない。
【００２５】
上述の観点から、スリットを一本のみ備えた図２（ｄ）の形状が五線譜を描画するために定規として好ましいものと言える。また、アクリル樹脂では強度不足の懸念があるので、金属製とすることがさらに好ましい。本考案者の実験によれば、４ｍｍ厚のアクリル樹脂で図２（ｄ）の定規を形成したとしても、直線を描画するための強度的には不十分であった。
【００２６】
一方、金属製の定規とすれば、定規をずらして第四線と第二線とを描画する場合に既に描画した他の線が確認できず、並行な線を引くことが困難となるとの課題を解決するために、本考案者は、スリットの左右端部の幅中心に切り込みを形成し、これをマーカとした。
【００２７】
マーカは、切れ込みに限定されるものではなく、突起物やステッカー、あるいは印刷によるもの等、五線を引く音楽関係者が、視認等にて確認できるものであれば任意のマーカであってよい。また、図３に 音楽用五線引き定規１０００の全体平面図を示した。
【００２８】
本考案で示した音楽用五線引き定規１０００は、上述の実施形態の具体的態様での説明に限定されるものではなく、本考案の思想の範囲内かつ自明な範囲内で自由にその構成や寸法等を変更してもよい。
【符号の説明】
【００２９】
１０００・・音楽用五線引き定規、１１００・・一辺、１２００・・辺、１３００・・辺、１４００・・切れ込み、１５００・・スリット。
【図１】
0003191360.tif 000003
【図２】
0003191360.tif 000004
【図３】
0003191360.tif 000005
【図４】
0003191360.tif 000006